【手続補正書】
【提出日】平成22年12月3日(2010.12.3)
【手続補正１】
【補正対象書類名】明細書
【補正対象項目名】００３８
【補正方法】変更
【補正の内容】
【００３８】
前記ホルダ１の下部には矩形状の基台部２が形成され、この基台部２を、当該基台部２と同形状（矩形状の）支持枠３０上に載置する。また、基台部２の上部は、四隅を切り欠いて段差部３を形成することによって八角形状の角筒部４を形成し、前記段差部３には、支持枠３０を固定するための孔部５が形成されている。また、レンズユニット１５を組み込む取付筒部２０は角筒部４の内周面に沿って上下動自在に案内されるとともに、図５に示すように、前記角筒部４の内面側四隅には対角線上に向かって４本のガイドリブ６が形成され、一方、前記取付筒部２０に形成した矩形状の枠部８ａにはガイドリブ６と係合するガイド溝８が形成され、このガイド溝８にホルダ１に形成するガイドリブ６を挿入することによってホルダ１に対して取付筒部２０を光軸方向に案内する。これにより、取付筒部２０に組み付けたレンズユニット１５が前記ガイドリブ６に沿って光軸方向にスライドし、かつ、ガイドリブ６とガイド溝８との係合によってホルダ１に取付筒部２０が回り止め状態で保持される。また、ホルダ１の上面には規制部として鍔部９が形成され、後述する支持枠３０のフランジ部３０ａとともに、ガイドリブ６に沿って案内される取付筒部２０の抜け出しを規制するように構成している。なお、取付筒部２０を案内する４本のガイドリブ６の内、１本のガイドリブ６ａは他のガイドリブ６より幅狭に形成され、取付筒部２０を案内する際、幅狭なガイドリブ６ａとガイド溝８との間にクリアランス用の隙間を形成し、取付筒部２０の移動を円滑に行えるようにしている。
【手続補正２】
【補正対象書類名】明細書
【補正対象項目名】００３９
【補正方法】変更
【補正の内容】
【００３９】
前記鏡筒１０は、外周面に雄ネジ部２２を形成し、この雄ネジ部２２を前記取付筒部２０の内周面に形成した雌ネジ２３に螺着することによって、取付筒部２０に鏡筒１０を組み込む。この時、鏡筒１０のネジ込み量によって、鏡筒１０と、この鏡筒１０に一体的に組み込まれるレンズ７とが光軸方向に位置調整可能となる。また、鏡筒１０の上面開口部周縁に位置してテーパ状の凹面１２が形成され、雄ネジ部２２と雌ネジ部２３との螺合によって取付筒部２０に対する鏡筒１０の光軸方向の位置を調整した後、凹面１２に接着剤を充填して取付筒部２０と鏡筒１０とを一体化している。
【手続補正３】
【補正対象書類名】明細書
【補正対象項目名】００４２
【補正方法】変更
【補正の内容】
【００４２】
以上のように構成される本実施例における組立手順について説明する。まず、支持枠３０の載置部３１に形成するボス部３５に端子３２、高分子アクチュエーター４０、端子３３の挿通孔３４を通して位置決め保持する。また、ホルダ１に形成するガイドリブ６に取付筒部２０に形成するガイド溝８を嵌め入れて予めホルダ１に取付筒部２０を組み付けた状態で支持枠３０の載置部３１に形成するボス部３５にホルダ１の孔部５を圧入し、支持枠３０とホルダ１とを一体化する。また、ホルダ１の孔部５にボス部３５を通してホルダ１を支持枠３０に組み付ける際、高分子アクチュエーター４０の変位部４１が取付筒部２０の下端部に形成する案内部４４に当接し、ホルダ１への支持枠３０の押し込み動作に追従して変位部４１は案内部４４に沿って溝部４２に誘い込まれ、孔部５とボス部３５との圧入嵌合によって、支持枠３０とホルダ１とが完全に一体化した状態では、高分子アクチュエーター４０の変位部４１は取付筒部２０の溝部４２に挿入係合する。これとともに、ホルダ１と支持枠３０との間に介在する高分子アクチュエーター４０が上下の端子３２、３３の間に挟まれて挟着保持されるとともに、ホルダ１の基台部２の下端縁に形成するバネ片３７の突き当て片３８が上側の端子３３に圧接してバネ片３７のバネ圧が上側の端子３３に作用し、そのバネ片３７のバネ付勢によって上下の端子３２、３３の間に高分子アクチュエーター４０が強固に挟着される。このように、支持枠３にホルダ１と取付筒部２０とを組み付けた後、取付筒部２０の内周面に形成する雌ネジ部２３にレンズユニット１５の鏡筒１０の外周に形成する雄ネジ部２２を螺着することによって撮像レンズユニットの組み付け作業が完了する。
【手続補正４】
【補正対象書類名】明細書
【補正対象項目名】００４３
【補正方法】変更
【補正の内容】
【００４３】
以上のように構成される撮像レンズユニットは、端子３２、３３から高分子アクチュエーター４０に電圧が印加されると、高分子アクチュエーター４０の変位部４１が撓むことによって、変位部４１と溝部４２によって係合する取付筒部２０をガイドリブ６に沿って上下に移動させ、取付筒部２０に螺着した鏡筒１０に組み込んだレンズユニット１５を光軸方向に移動させ、被写体とのピント合わせを自動化（オートフォーカス）する。すなわち、高分子アクチュエーター４０は電圧印加に応じて撓み、自由端の変位部４１が撓んで鏡筒１０を介してレンズユニット１５が光軸方向に移動し、被写体との焦点距離を自動的に合わせる。高分子アクチュエーター４０への電圧印加が解除されると、高分子アクチュエーター４０が初期状態に戻る。このように、本実施例においては、端子３２、３３からの電圧印加に応じて高分子アクチュエーター４０の変位部４１を撓ませて焦点距離を合わせることから、高分子アクチュエーター４０の変位量によってレンズユニット１５の焦点距離が決定する。従って、高分子アクチュエーター４０の個体差などに起因して高分子アクチュエーター４０の変位部４１の変位量にバラツキが生じた場合、変位部４１によって駆動されるレンズユニット１５の光軸方向の位置もバラツキが生じることになる。しかし、本実施例においては、高分子アクチュエーター４０によって駆動される取付筒部２０と、レンズ７を組み込んだレンズユニット１５の鏡筒１０とが雄ネジ部２２と雌ネジ部２３との螺合によって組み付けられているため、取付筒部２０への鏡筒１０のネジ込み量を調整することによって、取付筒部２０に対して鏡筒１０が光軸方向に位置調整することが可能である。このため、取付筒部２０に鏡筒１０のネジ込んだ状態で仮り止めし、高分子アクチュエーター４０に電圧印加して高分子アクチュエーター４０の変位部４１を撓ませた際、鏡筒１０の位置を調整した後、取付筒部２０と鏡筒１０との間に形成した凹面１２に接着などの手段を充填することによって一体化することで、高分子アクチュエーター４０の個体差などに起因して高分子アクチュエーター４０の変位部４１の変位量にバラツキが生じたとしても、鏡筒１０の位置が調整可能であるから、ピントが合った正確な位置にレンズ７を配置することができる。また、レンズユニット１５を組み込んだ取付筒部２０は高分子アクチュエーター４０によって光軸方向に移動する際、取付筒部２０に形成したガイド溝８と、ホルダ１に形成するガイドリブ６との係合によって、ホルダ１に沿って光軸方向にスライドし、かつ、ガイドリブ６とガイド溝８との係合によってホルダ１に取付筒部２０が回り止め状態で保持される。しかも、取付筒部２０を案内する４本のガイドリブ６の内、１本のガイドリブ６ａは他のガイドリブ６より幅狭に形成することによって、幅狭なガイドリブ６ａとガイド溝８との間にクリアランス用の隙間が形成され、取付筒部２０が円滑にスライドし、レンズユニット１５の移動もスムーズに行える。しかも、取付筒部２０は、ホルダ１の鍔部９と支持枠３０のフランジ部３０ａとの間に配置され、鍔部９とフランジ部３０ａとによって取付筒部２０の上下方向（光軸方向）の移動範囲が制限されているから、ホルダ１から取付筒部２０が抜け出すことなく、鍔部９とフランジ部３０ａの間に安定的に保持される。また、高分子アクチュエーター４０の撓み量によってレンズユニット１５を光軸に沿って移動させて焦点調節するものであるから、例えばステッピングモーターなどによって焦点調節する構造に比べ構造の簡略化、駆動伝達機構の小型化が可能となり、携帯電話などのカメラとして組み込む場合、カメラ機構の小型化並びに薄型化が可能である。